(57)【要約】【課題】  操作部を操作しやすいと共に、操作部が意図せずに操作される虞を低減することができる携帯型貯蔵庫を提供する。【解決手段】  箱体２と、箱体２内を冷却する温度調節ユニットたるスターリング冷凍機10と、このスターリング冷凍機10を制御するための操作部５と、箱体２を把持する把持部８とを備える携帯型貯蔵庫１において、箱体２の上面２ａと側面２ｂとの間に切欠部２ｃが形成され、この切欠部２ｃに操作部５が設けられていると共に、前記切欠部２ｃの外側に把持部８が設けられてなる。【選択図】        図３
2005127550.tif 000002
【特許請求の範囲】
【請求項１】
箱体と、該箱体内を冷却及び／又は加熱する温度調節ユニットと、該温度調節ユニットを制御するための操作部と、前記箱体を把持する把持部とを備える携帯型貯蔵庫において、
前記箱体の上面と側面との間に切欠部が形成され、該切欠部に前記操作部が設けられていると共に、前記切欠部の上側方に前記把持部が設けられていることを特徴とする携帯型貯蔵庫。
【請求項２】
前記切欠部の前記操作部が設けられている部位が、側方が低くなるように傾斜して形成されていることを特徴とする請求項１記載の携帯型貯蔵庫。
【請求項３】
前記把持部の上面及び側面が、それぞれ前記箱体の上面及び側面と略同一面となるように形成されていることを特徴とする請求項１又は２記載の携帯型貯蔵庫。
【発明の詳細な説明】
【技術分野】
【０００１】
本発明は、箱体と、箱体内を冷却及び／又は加熱する温度調節ユニットと、温度調節ユニットを制御するための操作部と、箱体を把持する把持部とを備える携帯型貯蔵庫に関する。
【背景技術】
【０００２】
従来、箱体と、箱体内を冷却及び／又は加熱する温度調節ユニットと、温度調節ユニットを制御するための操作部と、箱体を把持する把持部とを備える携帯型貯蔵庫としては、上面が開口されている本体ケースと、本体ケースの開口を開閉する蓋とを備え、蓋に持ち運びができるようにハンドルが設けられ、本体ケース内に、この本体ケース内を冷却するための電子冷却素子が設けられていると共に、本体ケースの一側面に電子冷却素子を制御するための表示パネルが設けられている冷蔵庫が知られている（特許文献１参照）。また、上面が開口されている断熱箱と、断熱箱の開口を開閉する蓋体とを備え、断熱箱の左右両側端に持ち運びができるようにハンドルが設けられ、蓋体の内部に断熱箱内を冷却及び加熱するユニット化されたサーモモジュール及び熱交換部が組み込まれていると共に、蓋体の上面にサーモモジュールを制御するための操作部が設けられている電子式温冷蔵庫が知られている（特許文献２参照）。
【特許文献１】特開平５−２６４１５３号公報
【特許文献２】特許第２８４７６９８号公報
【発明の開示】
【発明が解決しようとする課題】
【０００３】
ところで、上述した携帯型貯蔵庫は、手で把持して持ち運ぶばかりでなく、例えば自動車等に積んで携帯することもあり得る。この際、自動車等に他の荷物等が積んである場合には、自動車等のドアやトランクの開閉による衝撃や自動車等の走行による振動によって他の荷物が動くため、他の荷物等が操作部に当接して意図せずに操作部が操作されてしまう虞がある。また、上述した携帯型貯蔵庫を室内で使用する場合等には、使用者等が誤って蹴飛ばすことや他の家具等にぶつけてしまうことがあるため、意図せずに操作部が操作されてしまう虞もある。そこで、以上のような誤操作を防止するためには、操作部を凹んだ部位に設けることや、操作部に開閉自在なカバーを被せることが考えられる。
【０００４】
しかしながら、前者の構造では、断熱箱体の表面に凹部ができてしまうので、意匠上好ましくないと共に、操作部の面積が広い場合には有効ではないという問題点がある。また、後者の構造では、操作部を操作する度にカバーを開閉する必要があるため、操作性に劣るという問題点がある。
【０００５】
本発明は、このような状況を鑑みてなされたもので、操作部を操作しやすいと共に、操作部が意図せずに操作される虞を低減することができる携帯型貯蔵庫を提供することを目的とする。
【課題を解決するための手段】
【０００６】
前述の課題を解決するため、本発明に係る携帯型貯蔵庫は、次のような手段を採用する。
【０００７】
即ち、請求項１記載の発明は、箱体と、該箱体内を冷却及び／又は加熱する温度調節ユニットと、前記温度調節ユニットを制御するための操作部と、前記箱体を把持する把持部とを備える携帯型貯蔵庫において、前記箱体の上面と側面との間に切欠部が形成され、該切欠部に前記操作部が設けられていると共に、前記切欠部の上側方に前記把持部が設けられていることを特徴とする。
【０００８】
また、請求項２記載の発明は、請求項１記載の発明において、前記切欠部の前記操作部が設けられている部位が、側方が低くなるように傾斜して形成されていることを特徴とする。
【０００９】
また、請求項３記載の発明は、請求項１又は２記載の発明において、前記把持部の上面及び側面が、それぞれ前記箱体の上面及び側面と略同一面となるように形成されていることを特徴とする。
【発明の効果】
【００１０】
請求項１記載の発明によれば、前記箱体の上面と側面との間に前記切欠部が形成され、この切欠部に前記操作部が設けられていると共に前記切欠部の上側方に前記把持部が設けられているため、前記切欠部に設けられた前記操作部を操作することで、この操作部の良好な操作性を確保できると共に、設置時及び携帯時等に他の物体が前記操作部に当接することが前記把持部で妨げられるため、前記操作部が意図せずに操作される虞を低減することができる。
【００１１】
また、請求項２記載の発明によれば、前記切欠部の操作部が設けられている部位が、側方が低くなるように傾斜して形成されているため、前記操作部の視認性及び操作性を向上させることができる。
【００１２】
また、請求項３記載の発明によれば、前記把持部の上面及び側面が、それぞれ前記箱体の上面及び側面と略同一面となるように形成されているため、前記把持部と操作部とが比較的近くなるため、設置時及び携帯時等に他の物体が前記操作部に当接することが前記把持部で妨げられることを確実にすることができると共に、前記把持部が前記箱体よりも上方及び側方に突出しないので、設置時及び携帯時等に前記把持部が邪魔になることを防止することができる。
【発明を実施するための最良の形態】
【００１３】
以下、本発明に係る携帯型貯蔵庫の実施形態について、図面に基づいて説明する。図１乃至図３は、本発明に係る携帯型貯蔵庫の一実施形態を説明する図である。
【００１４】
図１は、本実施形態における携帯型貯蔵庫１を示す斜視図である。携帯型貯蔵庫１は、箱体２を備えている。この箱体２は、携帯型貯蔵庫１の外壁を構成するものである。そして、前記箱体２の正面左側には、外気を前記箱体２の内部に吸入するための吸気口３が形成されている。また、前記吸気口３の内側には、この吸気口３から吸入される外気から塵埃を除去するフィルタ体４が設けられている。また、前記箱体２の左側面上部には、携帯型貯蔵庫１を制御するための操作部５が設けられている。また、前記箱体２の左側面下部には、前記吸気口３から前記箱体２の内部に吸入された外気を排出するための排気口６が形成されている。また、前記箱体２の上部には、前記携帯型貯蔵庫１の上部開口を開閉する蓋部７が設けられている。更に、前記箱体２の上部両側端部には、前記携帯型貯蔵庫１を持ち運ぶための把持部８が設けられている。
【００１５】
図２は、前記携帯型貯蔵庫１の縦断面図である。前記携帯型貯蔵庫１には、断熱部材２Ａで囲まれている収納部９が設けられている。この収納部９の左側には、温度調節ユニットであるスターリング冷凍機10が設けられている。尚、このスターリング冷凍機10については周知であるので、その説明を省略する。そして、このスターリング冷凍機10の低温となる先端部には、銅製の配管から成るサーモサイフォン11が接続されていると共に、このサーモサイフォン11の配管は前記収納部９の周囲に、熱的に接触した状態で固定されている。従って、前記スターリング冷凍機10が駆動されることで、このスターリング冷凍機10の先端部が冷却され、サーモサイフォン11内の図示しない冷媒によって冷熱が移動することによって、前記収納部９が冷却される。また、前記スターリング冷凍機10の左下側には、前記吸気口３から外気を吸入して前記スターリング冷凍機10へ送風する送風機12が設けられている。そして、この送風機12は、前記スターリング冷凍機10の駆動部及び放熱部を冷却する。
【００１６】
図３は、携帯型貯蔵庫１を示す外観図である。図３（ａ）は前記携帯型貯蔵庫１の左側面図、図３（ｂ）は前記携帯型貯蔵庫１の正面図、図３（ｃ）は前記携帯型貯蔵庫１の上面図である。前記箱体２の上面２ａと両側面２ｂの間には、切欠部２ｃが形成されている。この切欠部２ｃは、正面及び背面よりも内側に形成されている。また、前記切欠部２ｃは、側方が低くなるように傾斜して形成されている。更に、前記操作部５は、左側の前記切欠部２ｃに設けられている。なお、前記操作部５は、前記スターリング冷凍機10を制御して前記携帯型貯蔵庫１を制御するためのものである。そして、前記操作部５には、携帯型貯蔵庫１をオン・オフさせるオンオフスイッチ、収納部９内の温度を段階的に設定する複数の温度設定スイッチ、スイッチで選択された状態を表示する表示ランプ等が設けられている。更に、前記把持部８は、前記切欠部２ｃの外側に設けられると共に、前記箱体２の前後端部で接合されている。なお、前記把持部８の上面８ａ及び側面８ｂは、それぞれ前記箱体２の上面２ａ及び側面２ｂと略同一面となるように形成されている。
【００１７】
以上、本実施形態によれば、箱体２の上面２ａと側面２ｂとの間に切欠部２ｃが形成され、この切欠部２ｃに操作部５が設けられていると共に、前記切欠部２ｃの外側に把持部８が設けられているため、前記切欠部２ｃの操作部５を操作することで、この操作部５の良好な操作性を確保できると共に、設置時及び携帯時等に他の物体が前記操作部５に当接することが把持部８で妨げられるため、前記操作部５が意図せずに操作される虞を低減することができる。
【００１８】
また、本実施形態によれば、前記切欠部２ｃの操作部５が設けられている部位が、側方が低くなるように傾斜して形成されているため、前記操作部５の視認性及び操作性を向上させることができる。
【００１９】
また、本実施形態によれば、前記把持部８の上面８ａ及び側面８ｂが、それぞれ前記箱体２の上面２ａ及び側面２ｂと略同一面となるように形成されているため、前記把持部８と操作部５とが比較的近くなるため、設置時及び携帯時等に他の物体が前記操作部５に当接することが前記把持部８で妨げられることを確実にすることができると共に、設置時及び携帯時等に、前記把持部８が邪魔になることを防止することができる。
【００２０】
なお、本発明は上記実施例に限定されるものではなく、本発明の要旨の範囲内において種々の変形実施が可能である。例えば、本実施形態では温度調節ユニットとしてスターリング冷凍機を用いたが、これに限定されず、例えばペルチェ素子の集合体からなるサーモモジュールによって容器内を加熱又は冷却する電子式温冷庫であってもよく、また、コンプレッサー式の冷蔵庫に用いてもよい。更に、ヒータ等を用いた保温庫に用いてもよい。
【図面の簡単な説明】
【００２１】
【図１】本発明に係る携帯型貯蔵庫の一実施形態を示す斜視図である。
【図２】図１の携帯型貯蔵庫の縦断面図である。
【図３】図１の携帯型貯蔵庫の外観図である。
【符号の説明】
【００２２】
１  貯蔵庫
２  箱体
２ａ  上面
２ｂ  側面
２ｃ  切欠部
５  操作部
８  把持部
10  スターリング冷凍機（温度調節ユニット）
【図１】
2005127550.tif 000003
【図２】
2005127550.tif 000004
【図３】
2005127550.tif 000005